(57)【特許請求の範囲】
【請求項１】
各々増幅回路を備え、且つ、バイアス電圧が印加される第１のアンテナ及び第２のアンテナと、前記第１及び第２のアンテナで受信した信号を切換える切換部と、前記バイアス電圧が印加されて動作する電圧検出回路とを備えるアンテナユニットに於いて、
前記電圧検出回路は、該電圧検出回路の入力端子に印加される前記バイアス電圧がローレベルの場合、該電圧検出回路の制御端子を接地側に接続し、前記バイアス電圧がハイレベルの場合には開放する構成と成し、前記切換部は、第１のトランジスタ及び第２のトランジスタ並びに抵抗器とから成ると共に、前記バイアス電圧が入力される入力端子と第１のトランジスタ及び第２のトランジスタ夫々のエミッタを接続し、前記第１のトランジスタのベースは、前記電圧検出回路の制御端子に接続されると共に、コレクタは抵抗器の一端と第１のアンテナ側増幅回路に接続され、前記第２のトランジスタのコレクタは第２のアンテナ側増幅回路に接続され、且つ、ベースは抵抗器を介して接地されて成り、前記切換部に印加されるローレベルのバイアス電圧により第１のトランジスタがオンして、前記切換部の入力端子が第１のアンテナ側増幅回路に駆動電圧を供給して、前記第１のアンテナを介して受信した信号を受信可能に選択すると共に、この時、第２のトランジスタはオンせず、第２のアンテナ側増幅回路への駆動電圧の供給をオフし、前記切換部に印加されるハイレベルのバイアス電圧の供給により前記第２のトランジスタがオンし、前記切換部の入力端子が第２のアンテナ側増幅回路に駆動電圧を供給し、前記第２のアンテナを介して受信した信号を受信可能に選択すると共に、この時、第１のトランジスタはオンせず、第１のアンテナ側増幅回路への駆動電圧の供給をオフするように構成して成ることを特徴とするアンテナユニット。
【請求項２】
各々増幅回路を備え、且つ、バイアス電圧が印加される第１のアンテナ及び第２のアンテナと、前記第１及び第２のアンテナで受信した信号を切換える切換部と、前記バイアス電圧が印加されて動作する電圧検出回路とを備えるアンテナユニットに於いて、
前記電圧検出回路は、該電圧検出回路の入力端子に印加される前記バイアス電圧がローレベルの場合、該電圧検出回路の制御端子を接地側に接続し、前記バイアス電圧がハイレベルの場合には開放する構成と成し、前記切換部は、第１のトランジスタ及び第２のトランジスタ並びに抵抗器とから成ると共に、前記バイアス電圧が入力される入力端子と第１のトランジスタ及び第２のトランジスタ夫々のエミッタを接続し、前記第１のトランジスタのベースは、前記電圧検出回路の制御端子に接続されると共に、コレクタは抵抗器の一端と第１のアンテナ側増幅回路に接続され、前記第２のトランジスタのコレクタは第２のアンテナ側増幅回路に接続され、且つ、ベースは抵抗器を介して接地されて成り、前記切換部に印加されるローレベルのバイアス電圧により第１のトランジスタがオンして、前記切換部の入力端子が第１のアンテナ側増幅回路に駆動電圧を供給して、前記第１のアンテナを介して受信した信号を受信可能に選択すると共に、この時、第２のトランジスタはオンせず、第２のアンテナ側増幅回路への駆動電圧の供給をオフし、前記切換部に印加されるハイレベルのバイアス電圧の供給により前記第２のトランジスタがオンし、前記切換部の入力端子が第２のアンテナ側増幅回路に駆動電圧を供給し、前記第２のアンテナを介して受信した信号を受信可能に選択すると共に、この時、第１のトランジスタはオンせず、第１のアンテナ側増幅回路への駆動電圧の供給をオフするように構成して成ることを特徴とするアンテナユニットを備えた受信器。
【発明の詳細な説明】
【０００１】
【発明の属する技術分野】
この発明は、アンテナユニット回路に関するものであり、特に、複数の電波を切り換えて受信するアンテナユニット回路に関するものである。
【０００２】
【従来の技術】
従来の此種アンテナユニット回路と該アンテナユニット回路が組み込まれた受信機の一例を図３乃至図５に従って説明する。
【０００３】
図３は、アンテナユニット回路が組み込まれた受信機を示し、アンテナユニット１の出力側にケーブル２を介して受信ユニット３が接続されており、該受信ユニット３は前記アンテナユニット１で受信した、例えばディジタルオーディオ放送の電波の信号をアナログ信号に復調してアンプ４に供給し、該アンプ４は前記アナログ信号を増幅してスピーカ５に供給する。
【０００４】
而して、前記アンテナユニット１は、図４に示すように回路基板６と、該回路基板６の上面に固定された平面アンテナ素子７Ａ，７Ｂと、該回路基板６の下面に固定されるシールドケース８と、之等を収納する上ケース９Ａ及び下ケース９Ｂとから成り、前記回路基板６には電子部品６ａ，６ａ…が搭載され、該回路基板６の下面の一端には前記ケーブル２を接続するための出力端子Ｔout が設けられる。
【０００５】
ここで、平面アンテナ素子７Ａ，７Ｂは互いに方向の異なる偏波を受信するために設けられており、出力端子Ｔout には前記受信ユニット３から２Ｖ又は３Ｖのバイアス電圧が印加される。
【０００６】
又、前記回路基板６には、図５に示す切換スイッチ１０が搭載されており、該切換スイッチ１０はＰＮＰトランジスタＱ１，Ｑ２及びＮＰＮトランジスタＱ３，Ｑ４，Ｑ５並びに抵抗器Ｒ１，Ｒ２，Ｒ３とから成り、入力端子Ｔ１１は前記出力端子Ｔout に接続されていると共にトランジスタＱ１，Ｑ２のエミッタ及び抵抗器Ｒ１，Ｒ３の片側が接続されており、制御端子Ｔ１２は抵抗器Ｒ２の片側に接続され、出力端子１３は前記トランジスタＱ１のコレクタに、出力端子Ｔ１４は前記トランジスタＱ２のコレクタに接続される。
【０００７】
斯くして、該切換スイッチ１０は、前記バイアス電圧が２Ｖの場合には制御端子Ｔ１２が接地され、トランジスタＱ３がオフし、トランジスタＱ４がオンすることによってトランジスタＱ１がオンすると共に、トランジスタＱ５及びトランジスタＱ２がオフする。従って、入力端子Ｔ１１が出力端子Ｔ１３に接続され、前記平面アンテナ素子７Ａの受信信号が選択される。
【０００８】
又、前記バイアス電圧が３Ｖの場合には、前記制御端子Ｔ１２が開放されることにより、トランジスタＱ３がオン、トランジスタＱ４及びトランジスタＱ１がオフし、トランジスタＱ５及びトランジスタＱ２がオンする。
【０００９】
斯くして、入力端子Ｔ１１が出力端子１４に接続されて前記平面アンテナ７Ｂの受信信号が選択される。これにより、移動体となる自動車等に該アンテナユニット１が搭載された場合に於ても、前記受信ユニット３から入力されるバイアス電圧により受信信号を選択してより良好な受信信号に切り換えられる。
【００１０】
【発明が解決しようとする課題】
従来のアンテナユニットが組み込まれた受信機は、例えば自動車等に搭載された場合には、小形・軽量化が要請されるにも拘わらず、前記切換スイッチ１０はトランジスタＱ１〜Ｑ５及び抵抗器Ｒ１〜Ｒ４を採用しているので回路が複雑となる。従って、前記回路基板６の小形・軽量化が困難となり、且つ、製作工数も増加する。
【００１１】
そこで、アンテナユニットを小形・軽量化することが可能なアンテナユニット回路を得るために解決すべき技術的課題が生じてくるのであり、本発明はこの課題を解決することを目的とする。
【００１２】
【課題を解決するための手段】
請求項1記載の発明は、上記目的を達成するために提案されたものであり、各々増幅回路を備え、且つ、バイアス電圧が印加される第１のアンテナ及び第２のアンテナと、前記第１及び第２のアンテナで受信した信号を切換える切換部と、前記バイアス電圧が印加されて動作する電圧検出回路とを備えるアンテナユニットに於いて、
前記電圧検出回路は、該電圧検出回路の入力端子に印加される前記バイアス電圧がローレベルの場合、該電圧検出回路の制御端子を接地側に接続し、前記バイアス電圧がハイレベルの場合には開放する構成と成し、前記切換部は、第１のトランジスタ及び第２のトランジスタ並びに抵抗器とから成ると共に、前記バイアス電圧が入力される入力端子と第１のトランジスタ及び第２のトランジスタ夫々のエミッタを接続し、前記第１のトランジスタのベースは、前記電圧検出回路の制御端子に接続されると共に、コレクタは抵抗器の一端と第１のアンテナ側増幅回路に接続され、前記第２のトランジスタのコレクタは第２のアンテナ側増幅回路に接続され、且つ、ベースは抵抗器を介して接地されて成り、前記切換部に印加されるローレベルのバイアス電圧により第１のトランジスタがオンして、前記切換部の入力端子が第１のアンテナ側増幅回路に駆動電圧を供給して、前記第１のアンテナを介して受信した信号を受信可能に選択すると共に、この時、第２のトランジスタはオンせず、第２のアンテナ側増幅回路への駆動電圧の供給をオフし、前記切換部に印加されるハイレベルのバイアス電圧の供給により前記第２のトランジスタがオンし、前記切換部の入力端子が第２のアンテナ側増幅回路に駆動電圧を供給し、前記第２のアンテナを介して受信した信号を受信可能に選択すると共に、この時、第１のトランジスタはオンせず、第１のアンテナ側増幅回路への駆動電圧の供給をオフするように構成して成ることを特徴とするアンテナユニットを提供するものである。
又、請求項２記載の発明は、各々増幅回路を備え、且つ、バイアス電圧が印加される第１のアンテナ及び第２のアンテナと、前記第１及び第２のアンテナで受信した信号を切換える切換部と、前記バイアス電圧が印加されて動作する電圧検出回路とを備えるアンテナユニットに於いて、
前記電圧検出回路は、該電圧検出回路の入力端子に印加される前記バイアス電圧がローレベルの場合、該電圧検出回路の制御端子を接地側に接続し、前記バイアス電圧がハイレベルの場合には開放する構成と成し、前記切換部は、第１のトランジスタ及び第２のトランジスタ並びに抵抗器とから成ると共に、前記バイアス電圧が入力される入力端子と第１のトランジスタ及び第２のトランジスタ夫々のエミッタを接続し、前記第１のトランジスタのベースは、前記電圧検出回路の制御端子に接続されると共に、コレクタは抵抗器の一端と第１のアンテナ側増幅回路に接続され、前記第２のトランジスタのコレクタは第２のアンテナ側増幅回路に接続され、且つ、ベースは抵抗器を介して接地されて成り、前記切換部に印加されるローレベルのバイアス電圧により第１のトランジスタがオンして、前記切換部の入力端子が第１のアンテナ側増幅回路に駆動電圧を供給して、前記第１のアンテナを介して受信した信号を受信可能に選択すると共に、この時、第２のトランジスタはオンせず、第２のアンテナ側増幅回路への駆動電圧の供給をオフし、前記切換部に印加されるハイレベルのバイアス電圧の供給により前記第２のトランジスタがオンし、前記切換部の入力端子が第２のアンテナ側増幅回路に駆動電圧を供給し、前記第２のアンテナを介して受信した信号を受信可能に選択すると共に、この時、第１のトランジスタはオンせず、第１のアンテナ側増幅回路への駆動電圧の供給をオフするように構成して成ることを特徴とするアンテナユニットを備えた受信器を提供するものである。
【００１３】
【発明の実施の形態】
以下、本発明のアンテナユニット回路の一実施の形態を図１及び図２に従って詳述する。尚、従来例と対称部分には同一符号を用いるものとする。
【００１４】
図１に於て符号１１はアンテナユニット回路を示し、該アンテナユニット回路１１は平面アンテナ７Ａ，７Ｂより入力された受信信号を増幅する増幅回路１２Ａ，１２Ｂと、該増幅回路１２Ａ，１２Ｂより受信信号が入力されて之等の受信信号から必要な帯域の信号成分のみを通過させる帯域通過フィルタ１３と、該帯域通過フィルタ１３を通過した信号を増幅する増幅回路１４と、該増幅回路１４の出力信号に含まれる直流成分を除去するコンデンサＣ１と、前記バイアス電圧がフィルタＬ３を介して印加されＤＣ２Ｖの定電圧に変換して、前記増幅回路１４に印加するレギュレータ１５と、前記バイアス電圧が印加されて動作する後述の電圧検出回路１６及び切換スイッチ１７等から構成される。
【００１５】
而して、前記検出回路１６は、入力端子Ｔ１に印加された前記バイアス電圧が２Ｖの場合には制御端子Ｔ２を接地側に接続し、３Ｖの場合には開放とする。又、前記切換スイッチ１７は、制御端子Ｔ１２が前記電圧検出回路１６の制御端子Ｔ２に接続されている。
【００１６】
尚、符号ＲＯは３Ｖのバイアス電圧を分圧して前記増幅回路１２Ｂに印加される電圧を２Ｖに降圧するための分圧抵抗器である。
【００１７】
図２に於て切換スイッチ１７は、トランジスタＱ６及びＱ７並びに抵抗器Ｒ４とから成る。而して、該切換スイッチ１７は入力端子Ｔ１１にＰＮＰ結合のトランジスタＱ６及びＱ７のエミッタが接続されており、又、制御端子Ｔ１２に前記トランジスタＱ６のベースが接続され、出力端子Ｔ１３に前記トランジスタＱ６のコレクタ及び抵抗器Ｒ４の一端が接続されており、更に、出力端子Ｔ１４には前記トランジスタＱ７のコレクタが接続されている。
【００１８】
斯くして、該切換スイッチ１７は、入力端子Ｔ１１に２Ｖのバイアス電圧が印加されると、前述したように接地された制御端子Ｔ１２によりトランジスタＱ６のベース電位がローレベルとなり、該トランジスタＱ６がオンして前記入力端子Ｔ１１が出力端子Ｔ１３に接続される。尚、このとき、トランジスタＱ７はベースが抵抗器Ｒ４を介して接地されていることにより該ベースの電位はハイレベルとなるのでオンしない。
【００１９】
一方、入力端子Ｔ１１に３Ｖのバイアス電圧が印加された場合には、トランジスタＱ７がオンすることにより前記入力端子Ｔ１１が出力端子Ｔ１４に接続される。尚、この場合には、制御端子Ｔ１２は開放されていることによりトランジスタＱ６はオンせず、従って入力端子Ｔ１１と出力端子Ｔ１３は接続されない。
【００２０】
斯くして、前記バイアス電圧が２Ｖの場合には入力端子Ｔ１１が出力端子Ｔ１３に接続され、バイアス電圧が３Ｖの場合には入力端子Ｔ１１が出力端子Ｔ１４に切り換えられる。
【００２１】
而して、前記バイアス電圧が２Ｖの場合には、該電圧がフィルタＬ１を介して前記増幅回路１２Ａに印加されることにより該増幅回路１２Ａが駆動され、前記バイアス電圧が３Ｖの場合には、該電圧がフィルタＬ２を介して前記増幅回路１２Ｂに印加されることにより該増幅回路１２Ｂが駆動される。即ち、之等の増幅回路１２Ａ，１２Ｂは、従来例で述べた受信ユニット３から印加されるバイアス電圧に対応して前記切換スイッチ１７を介して前記平面アンテナ７Ａ及び７Ｂによって受信した信号が切り換えられて、前記受信ユニット３に供給される。
【００２２】
斯くの如く、該切換スイッチ１７はトランジスタ２個と抵抗器１個によって構成されるので、該切換スイッチ１７を搭載した回路基板の小形・軽量化が可能となり、以て、前記アンテナユニット１の小形・軽量化及び組立工数の低減によるコストダウンにも寄与する。
【００２３】
尚、本発明は、本発明の精神を逸脱しない限り種々の改変を為すことができ、そして、本発明が該改変されたものに及ぶことは当然である。
【００２４】
【発明の効果】
請求項１記載の発明は、上記一実施の形態に詳述したように、切換部は第１のトランジスタ及び第２のトランジスタ並びに抵抗器とから成り、前記切換部に印加されるローレベルの駆動電圧により前記第１のトランジスタがオンして、前記第１のアンテナを介して受信した信号を選択すると共に、この時、第２のトランジスタはベースが抵抗器を介して接地されハイレベルとなりオンせず、第２のアンテナに接続された増幅回路への駆動電圧の供給をオフし、前記切換部に印加されるハイレベルの駆動電圧により前記第２のトランジスタがオンして、前記第２のアンテナを介して受信した信号を選択すると共に、この場合、該ハイレベルの駆動電圧の検出により、第１のトランジスタはオンせず、第１のアンテナに接続された増幅回路への駆動電圧の供給をオフするように構成しているので、前記ハイレベル及びローレベルの駆動電圧に対応して前記第１及び第２のアンテナの受信信号の切り換えが可能となる。
しかも、上記切り換えは、単に２個のトランジスタを用いて実行できるのであるから構成が極めて簡素であり、組立工数も低減し、コストダウンにも寄与すると共にアンテナユニットの小形化が可能となる等、正に著大なる効果を奏する発明である。
斯くの如く、本発明の切換スイッチはトランジスタ２個と抵抗器１個によって構成されるので、該切換スイッチを搭載した回路基板の小形・軽量化が可能となり、このことを通じて、前記アンテナユニットの小形・軽量化及び組立工数の低減に伴うコストダウンに寄与することができるものである。
又、請求項２記載の発明は上記請求項1記載の発明のアンテナユニットを備えた受信器に係るものであるから、請求項1記載の効果をすべて有する受信器を提供することが可能となる。
【図面の簡単な説明】
【図１】本発明を示し、アンテナユニット回路のブロック図。
【図２】本発明を示し、切換スイッチの回路図。
【図３】従来例を示し、アンテナユニット回路が組み込まれた受信機を示すブロック図。
【図４】図３に示したアンテナユニットの分解図。
【図５】図４に示した切換スイッチの接続図。
【符号の説明】
３              受信ユニット
７Ａ，７Ｂ      平面アンテナ素子
１１              アンテナユニット回路
１２Ａ，１２Ｂ    増幅回路
１７              切換スイッチ
Ｑ６，Ｑ７      トランジスタ
Ｒ４            抵抗器
Ｔ１１          入力端子
Ｔ１２          制御端子
Ｔ１３，Ｔ１４  出力端子
【図１】
0004461591.tif 000002
【図２】
0004461591.tif 000003
【図３】
0004461591.tif 000004
【図４】
0004461591.tif 000005
【図５】
0004461591.tif 000006